(57)【要約】      （修正有）【課題】ＯＮ、ＯＦＦ動作の検査をより適正に行うことができるレバースイッチ用導通角度測定装置を提供する。【解決手段】スイッチ本体２１に支軸３１を回動可能に設け、この支軸の上部に操作レバー３０を固定するとともに下部にスライダを設置し操作レバーを揺動することによってスライダを揺動してスイッチ本体内の接点をＯＮ・ＯＦＦさせるレバースイッチにおいて、支軸に角度測定手段（エンコーダ６０）をコネクタ６１を介して着脱可能に設置し、この角度測定手段によって前記支軸の揺動角度を測定する。【選択図】図２
0003184452.tif 000002
【実用新案登録請求の範囲】
【請求項１】
スイッチ本体に支軸を回動可能に設け、この支軸の上部に操作レバーを固定するとともに下部にスライダを設置し前記操作レバーを揺動することによって前記スライダを揺動して前記スイッチ本体内の接点をＯＮ・ＯＦＦさせるレバースイッチにおいて、前記支軸に角度測定手段を着脱可能に設置し、この角度測定手段によって前記支軸の回動角度を測定可能にしたことを特徴とするレバースイッチ用導通角度測定装置。
【請求項２】
前記支軸の上端面に前記角度測定手段を着脱可能に設置したことを特徴とする請求項１のレバースイッチ用導通角度測定装置。
【請求項３】
前記支軸の上端面と前記角度測定手段とを凸凹嵌合手段によって回転不可能に連結したことを特徴とする請求項２のレバースイッチ用導通角度測定装置。
【請求項４】
前記支軸の上端面に嵌合凹部を設けたことを特徴とする請求項３のレバースイッチ用導通角度測定装置。
【請求項５】
前記角度測定手段によって測定された角度をディスプレイによって表示可能としたことを特徴とする請求項１，請求項２，請求項３又は請求項４のレバースイッチ用導通角度測定装置。
【考案の詳細な説明】
【技術分野】
【０００１】
この考案はレバースイッチ用導通角度測定装置に関し、レバースイッチの生産時において導通角度を検査する際に使用される。
【０００２】
レバースイッチにあっては、他のスイッチと同様に製品完成時に正常に作動するか否かの検査を必要としている。
【０００３】
このため、従来においては、レバースイッチを操作し、各ポジション（ＯＮ，ＯＦＦ）でのＬＥＤの点灯を判断することによって導通の確認をしていた。
【考案の開示】
【考案が解決しようとする課題】
【０００４】
この考案の課題は前記検査をより適正に行う装置を提供することである。
【課題を解決するための手段】
【０００５】
考案者はこの課題を達成するために鋭意研究した結果、レバースイッチの導通角度が適正であるか否かを検討することに着目し、本考案を完成した。
【０００６】
この考案に係るレバースイッチ用導通角度測定装置は、スイッチ本体に支軸を回動可能に設け、この支軸の上部に操作レバーを固定するとともに下部にスライダを設置し前記操作レバーを揺動することによって前記スライダを揺動して前記スイッチ本体内の接点をＯＮ・ＯＦＦさせるレバースイッチにおいて、前記支軸に角度測定手段を着脱可能に設置し、この角度測定手段によって前記支軸の回動角度を測定可能にしたものである。
【０００７】
この場合、前記支軸の上端面に前記角度測定手段を着脱可能に設置することができる。
【０００８】
また、前記支軸の上端面と前記角度測定手段とを凸凹嵌合手段によって回転不可能に連結することができる。
【０００９】
この場合、前記支軸の上端面に嵌合凹部を設けることができる。
【００１０】
さらに、前記角度測定手段によって測定された角度をディスプレイによって表示可能とすることができる。
【考案の効果】
【００１１】
この考案に係るレバースイッチ用導通角度測定装置は上記のように構成されているため、即ち、スイッチ本体に支軸を回動可能に設け、この支軸の上部に操作レバーを固定するとともに下部にスライダを設置し前記操作レバーを揺動することによって前記スライダを揺動して前記スイッチ本体内の接点をＯＮ・ＯＦＦさせるレバースイッチにおいて、前記支軸に角度測定手段を着脱可能に設置し、この角度測定手段によって前記支軸の揺動角度を測定可能にしたため、前記角度測定手段によって前記操作レバーの回動角度を測定することができる。
【００１２】
よって、このレバースイッチ用導通角度測定装置を使用すれば、レバースイッチの生産時において導通角度を検査することができるため、製品完成時の検査を従来よりも適正に行うことができる。
【００１３】
この場合、前記支軸の上端面に前記角度測定手段を着脱可能に設置すれば、この角度測定手段を設置しやすいものである。
【００１４】
また、前記支軸の上端面と前記角度測定手段とを凸凹嵌合手段によって回転不可能に連結すれば、前記支軸と前記角度測定手段との連結が容易にできる。
【００１５】
この場合、前記支軸の上端面に嵌合凹部を設ければ、支軸の上端面に突出部がないため、レバースイッチの取扱いが容易になる。
【００１６】
さらに、前記角度測定手段によって測定された角度をディスプレイによって表示可能とすれば、簡易に導通角度を測定することができる。
【考案を実施するための最良の形態】
【００１７】
この考案に係るレバースイッチ用導通角度測定装置は実施するにあたって次の特徴を有する。
【００１８】
「レバースイッチ」は例えばフォークリフトの前進・後退の切り換えスイッチとして使用されるものである。
【００１９】
「角度測定手段」としては例えばエンコーダーが該当する。
【００２０】
「凸凹嵌合手段」とは連結する一対の部材の片方の凸部、他方に凹部を形成して、この両者を嵌め合わせ連結する手段のことである。凸部及び凹部の接触する部分は直線状でもテーパ状でもよい。直線状の方が加工が容易であるが、テーパ状の方が嵌めやすく連結しやすい。
【００２１】
前記凸部及び凹部の横断面は嵌め合った際に回転不可能な形状、例えば、切り欠き円形、四角形、多角形、十字形等をしている。前二者は加工が容易であるとともに嵌め合いを容易に行うことができる結果「角度測定手段」を簡単に設置することができる。後２者は嵌め合った際にガタが少なくなるため正確な角度測定を行うことができる。
【００２２】
「ディスプレイ」は例えば電気的に表示する表示具であり、液晶ディスプレイ等が該当する。
【実施例】
【００２３】
以下、この考案の実施例を図面に基づいて説明する。
【００２４】
図１はこの考案に係るレバースイッチ用導通角度測定装置の平面図、図２は図１におけるII-II線断面図、図３及び図４は「凸凹嵌合手段」の他の実施例の断面図、図５〜図８は「凸凹嵌合手段」の凸部又は凹部の横断面の説明図、図９はこの考案に係るレバースイッチ用導通角度測定装置を備えたレバースイッチの使用状態の斜視図である。
【００２５】
図９において、１０はフォークリフト、１１はその車体、１２はそのマスト、１３はフォークである。２０は操作ハンドル装置である。
【００２６】
図１及び図２に基づいて、前記操作ハンドル装置２０について説明する。
【００２７】
図１において、２１はケーシングであり、略直方体状をしている。このケーシング２１はこの考案の「スイッチ本体」に相当し、その内部にはスライダ及び接点が設置されている。なお、２４はキャンセルカムであり、ハンドル操作に合わせて後記ターンボディ３１が中立にない場合、中立位置へキャンセルさせるためのものである。
【００２８】
２２及び２３は支持孔であり、前記ケーシング２１に形成されている。これらの支持孔２２，２３は前記ケーシング２１の両側部に位置している。
【００２９】
３０はライト・ターンレバーであり、前記ケーシング２１の右側部に設置されている。このターンレバー３０は後述するターンボディ３１を操作するためのものであり、この考案の「ターンスイッチ」に相当する。３１はターンレバー３０のターンボディ（この考案の「支軸」に相当する）であり、下部回転軸３１１を介して前記支持孔２２に回動可能に嵌められている。３２は固定プレートであり、前記ケーシング２１にビス止めされ、前記ターンボディ３１の抜け落ち防止を図っている。３３は係止孔であり、前記固定プレート３２に形成されている。この係止孔３３には前記ターンボディ３１の上部回転軸３１２が回動可能に嵌められている。このターンボディ３１は前記支持孔２２と前記係止孔３３に支えられた状態でその軸心を中心として回動する。
【００３０】
即ち、前記ターンレバー３０は前記係止孔３３を中心軸として軸回りに回動することで、例えば、図示してないがウインカーランプの点滅を制御し、操作ノブ３５をターンレバー３０の軸を中心に回動することで例えばランプの点灯、消灯を制御するものである。
【００３１】
３６は連結凹部であり、前記ターンボディ３１における前記上部回転軸３１２の天面に形成されている。この連結凹部３６の軸心は前記ターンボディ３１の軸心に一致している。この連結凹部３６の代わりに図３に示すように連結凸部３７とすることもできるし、その内壁面を図４に示すようにテーパ状にすることもできる。また、連結凹部３６及び連結凸部３７の横断面は、図５〜図８に示すように、切り欠き円形、四角形、十字形、八角形にすることができる。これらの効能は前記したとおりである。
【００３２】
５０は連結軸であり、前記ターンボディ３１の連結凹部３６に回転不可能に内嵌めされている。前記ターンボディ３１の連結凹部３６が連結凸部３７の場合にはこの連結軸５０の先端部は凹状に形成され、所謂、「凸凹嵌合手段」によって連結される。
【００３３】
６０はエンコーダーであり、前記連結軸５０にコネクタ６１を介して繋がれている。このエンコーダー６０は前記連結軸５０ひいては前記ターンボディ３１の回動角を測定し、ディスプレイ７０に表示する。このため、この角度を測定することに前記ターンレバー３０の導通角度を測定することができる。
【００３４】
次に、８０はＦＮＲレバーであり、前記ケーシング２１の左側部に設置されている。このＦＮＲレバー８０は後記ローラー８１を操作するためのものであり、ＦＮＲスイッチ（「ターンスイッチ」）に相当する。このＦＮＲレバー（ＦＮＲスイッチ）８０は前記ケーシング２１に差し込んで裏側からビス止めすることによって抜け落ち防止を図っている。８１はターンレバー８０のローラー（この考案の「支軸」に相当する）であり、前記支持孔２３に回動可能に嵌められている。８３は係止孔であり、前記ケーシング２１に形成されている。この係止孔８３には前記ローラー８１の上部回転軸８１２が回動可能に嵌められている。このローラー８１は前記支持孔２３と前記係止孔８３に支えられた状態でその軸心を中心として回動する。そして、スライダを接点に対してスライドさせ前記フォークリフト１０の前進・ニュートラル後退を電気的に制御する。なお、８５は操作ノブである。
【００３５】
８６は連結凹部であり、前記ローラー８１における前記上部回転軸８１２の天面に形成されている。この連結凹部８６は前記ターンレバー３０の連結凹部３６と同様に連結軸５０を介してエンコーダー６０に繋がれ、前記ＦＮＲレバー８０の導通角度を測定することができる。なお、この連結凹部８６の技術的構成及びその作用効果は前記ターンレバー３０の連結凹部３６の場合と同様である。
【産業上の利用可能性】
【００３６】
この考案に係るレバースイッチ用導通角度測定装置を使用すれば、レバースイッチの生産時において導通角度を検査することができるため、製品完成時の検査を従来よりも適正に行うことができる。前記支軸の上端面に前記角度測定手段を着脱可能に設置すれば、この角度測定手段を設置しやすい。前記支軸の上端面と前記角度測定手段とを凸凹嵌合手段によって回転不可能に連結すれば、前記支軸と前記角度測定手段との連結が容易にできる。前記支軸の上端面に嵌合凹部を設ければ、支軸の上端面に突出部がないため、レバースイッチの取扱いが容易になる。前記角度測定手段によって測定された角度をディスプレイによって表示可能とすれば、簡易に導通角度を測定することができる。よって、産業上の利用可能性は高いものである。
【図面の簡単な説明】
【００３７】
【図１】図１はこの考案に係るレバースイッチ用導通角度測定装置の平面図である。
【図２】図２は図１におけるII-II線断面図である。
【図３】図３は「凸凹嵌合手段」の他の実施例の断面図である。
【図４】図４は「凸凹嵌合手段」の他の実施例の断面図である。
【図５】図５は「凸凹嵌合手段」の凸部又は凹部の横断面の説明図である。
【図６】図６は「凸凹嵌合手段」の凸部又は凹部の横断面の説明図である。
【図７】図７は「凸凹嵌合手段」の凸部又は凹部の横断面の説明図である。
【図８】図８は「凸凹嵌合手段」の凸部又は凹部の横断面の説明図である。
【図９】図９はこの考案に係るレバースイッチ用導通角度測定装置を備えたレバースイッチの使用状態の斜視図である。
【符号の説明】
【００３８】
１０  …  フォークリフト
１１  …  車体
１２  …  マスト
１３  …  フォーク
２０  …  操作ハンドル装置
２１  …  ケーシング（スイッチ本体）
２２  …  支持孔
２３…  支持孔
２４  …  キャンセルカム
３０  …  ライト・ターンレバー
３１  …  ターンボディ（支軸）
３１１  …  下部回転軸
３２  …  固定プレート
３３  …  係止孔
３５  …  操作ノブ
３６  …  連結凹部（凸凹嵌合手段）
３７  …  連結凸部（凸凹嵌合手段）
５０  …  連結軸（凸凹嵌合手段）
６０  …  エンコーダー
６１  …  コネクタ
７０  …  ディスプレイ
８０  …  ＦＮＲレバー
８１  …  ローラー（支軸）
８１２  …  上部回転軸
８３  …  係止孔
８６  …  連結凹部
【図１】
0003184452.tif 000003
【図２】
0003184452.tif 000004
【図３】
0003184452.tif 000005
【図４】
0003184452.tif 000006
【図５】
0003184452.tif 000007
【図６】
0003184452.tif 000008
【図７】
0003184452.tif 000009
【図８】
0003184452.tif 000010
【図９】
0003184452.tif 000011